【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
第１アプリケーションと、前記第１アプリケーションと異なる第２アプリケーションと、が動作可能な情報処理装置であって、
表示部の表示を制御する制御手段を備え、
前記表示部に表示された前記第１アプリケーションが提供する画面内の第１オブジェクトに対するユーザ操作が行われた場合、前記制御手段は、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示し、
前記第２オブジェクトと共に新たに表示された前記所定のオブジェクトに対するユーザ操作が行われた場合、前記制御手段は、前記表示部に前記第１アプリケーションが提供する画面を表示し、
前記第１アプリケーションのアイコンと前記第２アプリケーションのアイコンが表示された一覧画面における前記第２アプリケーションのアイコンに対するユーザ操作が行われた場合、前記第２アプリケーションのアイコンに対するユーザ操作に応じて前記第２アプリケーションが起動され、前記起動に応じて前記第２アプリケーションが提供する画面に表示される前記第２オブジェクトと共に、前記所定のオブジェクトは表示されないことを特徴とする情報処理装置。
【請求項２】
第１アプリケーションと、前記第１アプリケーションと異なる第２アプリケーションと、が動作可能な情報処理装置であって、
表示部の表示を制御する制御手段を備え、
前記表示部に表示された前記第１アプリケーションが提供する画面内の第１オブジェクトに対するユーザ操作が行われた場合、前記制御手段は、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示し、
前記第２オブジェクトと共に新たに表示された前記所定のオブジェクトに対するユーザ操作が行われた場合、前記制御手段は、前記表示部に前記第１アプリケーションが提供する画面を表示し、
前記第１アプリケーションが提供する画面を介して前記第２アプリケーションが提供する画面が表示される場合のみ、前記第２オブジェクトと共に前記所定のオブジェクトが新たに表示されることを特徴とする情報処理装置。
【請求項３】
前記所定のオブジェクトに対するユーザ操作に応じて表示される前記第１アプリケーションの画面は、前記第１アプリケーションの初期画面ではなく、前記第１オブジェクトに対するユーザ操作に応じて表示された前記第２アプリケーションの画面の直前に表示されていた前記第１アプリケーションの画面であることを特徴とする請求項１又は２に記載の情報処理装置
【請求項４】
前記所定のオブジェクトに対するユーザ操作に応じて表示される前記第１アプリケーションの画面は、前記第１オブジェクトに対するユーザ操作に応じて表示された前記第２アプリケーションの画面の直前に前記第１アプリケーションにより提供されていた表示状態の画面と同じ画面であることを特徴とする請求項１から３のいずれか１項に記載の情報処理装置。
【請求項５】
第１アプリケーションと、前記第１アプリケーションと異なる第２アプリケーションと、が動作可能な情報処理装置であって、
表示部の表示を制御する制御手段を備え、
前記表示部に表示された前記第１アプリケーションが提供する画面内の第１オブジェクトに対するユーザ操作が行われた場合、前記制御手段は、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示し、
前記第２オブジェクトと共に新たに表示された前記所定のオブジェクトに対するユーザ操作が行われた場合、前記制御手段は、前記表示部に前記第１アプリケーションが提供する画面を表示し、
前記所定のオブジェクトに対するユーザ操作に応じて表示される前記第１アプリケーションの画面は、前記第１アプリケーションの初期画面ではなく、前記第１オブジェクトに対するユーザ操作に応じて表示された前記第２アプリケーションの画面の直前に表示されていた前記第１アプリケーションの画面であることを特徴とする情報処理装置。
【請求項６】
第１アプリケーションと、前記第１アプリケーションと異なる第２アプリケーションと、が動作可能な情報処理装置であって、
表示部の表示を制御する制御手段を備え、
前記表示部に表示された前記第１アプリケーションが提供する画面内の第１オブジェクトに対するユーザ操作が行われた場合、前記制御手段は、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示し、
前記第２オブジェクトと共に新たに表示された前記所定のオブジェクトに対するユーザ操作が行われた場合、前記制御手段は、前記表示部に前記第１アプリケーションが提供する画面を表示し、
前記所定のオブジェクトに対するユーザ操作に応じて表示される前記第１アプリケーションの画面は、前記第１オブジェクトに対するユーザ操作に応じて表示された前記第２アプリケーションの画面の直前に前記第１アプリケーションにより提供されていた表示状態の画面と同じ画面であることを特徴とする情報処理装置。
【請求項７】
前記第１アプリケーションが提供する画面内の前記第１オブジェクトに対するユーザ操作に応じて前記第２アプリケーションが起動し、前記起動に応じて提供される前記第２アプリケーションの画面に表示される前記第２オブジェクトと共に、前記所定のオブジェクトが新たに表示されることを特徴とする請求項１から６のいずれか１項に記載の情報処理装置。
【請求項８】
前記第１アプリケーションが提供する画面内の前記第１オブジェクトに対するユーザ操作に応じて、前記第２アプリケーションが提供する画面が表示されたとしても、所定の条件の場合には、前記第２オブジェクトと共に前記所定のオブジェクトは表示されないことを特徴とする請求項１から７のいずれか１項に記載の情報処理装置。
【請求項９】
前記第１アプリケーションが提供する画面内の前記第１オブジェクトに対するユーザ操作が行われた場合、前記制御手段は、前記所定の条件か判定することを特徴とする請求項８に記載の情報処理装置。
【請求項１０】
前記第２アプリケーションの実行中に前記第１アプリケーションが終了されたとしても、前記所定のオブジェクトに対するユーザ操作に応じて、前記第１アプリケーションが提供する画面が表示されることを特徴とする請求項１から９のいずれか１項に記載の情報処理装置。
【請求項１１】
前記第１アプリケーションが提供する画面内の前記第１オブジェクトに対するユーザ操作に応じて、前記第１アプリケーションから所定の情報が出力され、前記所定の情報に基づき、前記第２アプリケーションが提供する画面が表示されることを特徴とする請求項１から１０のいずれか１項に記載の情報処理装置。
【請求項１２】
前記所定のオブジェクトの表示は、前記第１アプリケーションを認識可能な表示であることを特徴とする請求項１から１１のいずれか１項に記載の情報処理装置。
【請求項１３】
前記所定のオブジェクトの表示は、前記第１アプリケーションの名称に関する情報を含むことを特徴とする請求項１から１２のいずれか１項に記載の情報処理装置。
【請求項１４】
前記所定のオブジェクトの表示は、前記第１アプリケーションが提供する画面に戻ることを認識可能な表示であることを特徴とする請求項１から１３のいずれか１項に記載の情報処理装置。
【請求項１５】
前記所定のオブジェクトの表示は、一覧画面に表示される前記第１アプリケーションのアイコンの表示とは異なることを特徴とする請求項１から１４のいずれか１項に記載の情報処理装置。
【請求項１６】
前記第２アプリケーションはＷｅｂブラウザアプリケーションであり、前記第１アプリケーションは前記Ｗｅｂブラウザアプリケーションとは異なるアプリケーションであることを特徴とする請求項１から１５のいずれか１項に記載の情報処理装置。
【請求項１７】
前記所定のオブジェクトは、前記第２アプリケーションが提供する画面内に表示されることを特徴とする請求項１から１６のいずれか１項に記載の情報処理装置。
【請求項１８】
前記情報処理装置は、スマートフォンであることを特徴とする請求項１から１７のいずれか１項に記載の情報処理装置。
【請求項１９】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示させるステップと、
前記第２オブジェクトと共に新たに表示された前記所定のオブジェクトに対するユーザ操作が行われた場合、前記表示部に前記第１アプリケーションが提供する画面を表示させるステップと、
を実行させるプログラムであって、
前記第１アプリケーションのアイコンと前記第２アプリケーションのアイコンが表示された一覧画面における前記第２アプリケーションのアイコンに対するユーザ操作が行われた場合、前記第２アプリケーションのアイコンに対するユーザ操作に応じて前記第２アプリケーションが起動され、前記起動に応じて前記第２アプリケーションが提供する画面に表示される前記第２オブジェクトと共に、前記所定のオブジェクトは表示されないことを特徴とするプログラム。
【請求項２０】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示させるステップと、
前記第２オブジェクトと共に新たに表示された前記所定のオブジェクトに対するユーザ操作が行われた場合、前記表示部に前記第１アプリケーションが提供する画面を表示させるステップと、
を実行させるプログラムであって、
前記第１アプリケーションが提供する画面を介して前記第２アプリケーションが提供する画面が表示される場合のみ、前記第２オブジェクトと共に前記所定のオブジェクトが新たに表示されることを特徴とするプログラム。
【請求項２１】
前記所定のオブジェクトに対するユーザ操作に応じて表示される前記第１アプリケーションの画面は、前記第１アプリケーションの初期画面ではなく、前記第１オブジェクトに対するユーザ操作に応じて表示された前記第２アプリケーションの画面の直前に表示されていた前記第１アプリケーションの画面であることを特徴とする請求項１９又は２０に記載のプログラム
【請求項２２】
前記所定のオブジェクトに対するユーザ操作に応じて表示される前記第１アプリケーションの画面は、前記第１オブジェクトに対するユーザ操作に応じて表示された前記第２アプリケーションの画面の直前に前記第１アプリケーションにより提供されていた表示状態の画面と同じ画面であることを特徴とする請求項１９から２１のいずれか１項に記載のプログラム。
【請求項２３】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示させるステップと、
前記第２オブジェクトと共に新たに表示された前記所定のオブジェクトに対するユーザ操作が行われた場合、前記表示部に前記第１アプリケーションが提供する画面を表示させるステップと、
を実行させるプログラムであって、
前記所定のオブジェクトに対するユーザ操作に応じて表示される前記第１アプリケーションの画面は、前記第１アプリケーションの初期画面ではなく、前記第１オブジェクトに対するユーザ操作に応じて表示された前記第２アプリケーションの画面の直前に表示されていた前記第１アプリケーションの画面であることを特徴とするプログラム。
【請求項２４】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて前記第２アプリケーションが提供する画面に表示される第２オブジェクトと共に、前記第１アプリケーションが提供する画面に戻るための所定のオブジェクトを新たに表示させるステップと、
前記第２オブジェクトと共に新たに表示された前記所定のオブジェクトに対するユーザ操作が行われた場合、前記表示部に前記第１アプリケーションが提供する画面を表示させるステップと、
を実行させるプログラムであって、
前記所定のオブジェクトに対するユーザ操作に応じて表示される前記第１アプリケーションの画面は、前記第１オブジェクトに対するユーザ操作に応じて表示された前記第２アプリケーションの画面の直前に前記第１アプリケーションにより提供されていた表示状態の画面と同じ画面であることを特徴とするプログラム。
【請求項２５】
前記第１アプリケーションが提供する画面内の前記第１オブジェクトに対するユーザ操作に応じて前記第２アプリケーションが起動し、前記起動に応じて提供される前記第２アプリケーションの画面に表示される前記第２オブジェクトと共に、前記所定のオブジェクトが新たに表示されることを特徴とする請求項１９から２４のいずれか１項に記載のプログラム。
【請求項２６】
前記第１アプリケーションが提供する画面内の前記第１オブジェクトに対するユーザ操作に応じて、前記第２アプリケーションが提供する画面が表示されたとしても、所定の条件の場合には、前記第２オブジェクトと共に前記所定のオブジェクトは表示されないことを特徴とする請求項１９から２５のいずれか１項に記載のプログラム。
【請求項２７】
前記第１アプリケーションが提供する画面内の前記第１オブジェクトに対するユーザ操作が行われた場合、前記コンピュータに、前記所定の条件か判定するステップをさらに実行させることを特徴とする請求項２６に記載のプログラム。
【請求項２８】
前記第２アプリケーションの実行中に前記第１アプリケーションが終了されたとしても、前記所定のオブジェクトに対するユーザ操作に応じて、前記第１アプリケーションが提供する画面が表示されることを特徴とする請求項１９から２７のいずれか１項に記載のプログラム。
【請求項２９】
前記第１アプリケーションが提供する画面内の前記第１オブジェクトに対するユーザ操作に応じて、前記第１アプリケーションから所定の情報が出力され、前記所定の情報に基づき、前記第２アプリケーションが提供する画面が表示されることを特徴とする請求項１９から２８のいずれか１項に記載のプログラム。
【請求項３０】
前記所定のオブジェクトの表示は、前記第１アプリケーションを認識可能な表示であることを特徴とする請求項１９から２９のいずれか１項に記載のプログラム。
【請求項３１】
前記所定のオブジェクトの表示は、前記第１アプリケーションの名称に関する情報を含むことを特徴とする請求項１９から３０のいずれか１項に記載のプログラム。
【請求項３２】
前記所定のオブジェクトの表示は、前記第１アプリケーションが提供する画面に戻ることを認識可能な表示であることを特徴とする請求項１９から３１のいずれか１項に記載のプログラム。
【請求項３３】
前記所定のオブジェクトの表示は、一覧画面に表示される前記第１アプリケーションのアイコンの表示とは異なることを特徴とする請求項１９から３２のいずれか１項に記載のプログラム。
【請求項３４】
前記第２アプリケーションはＷｅｂブラウザアプリケーションであり、前記第１アプリケーションは前記Ｗｅｂブラウザアプリケーションとは異なるアプリケーションであることを特徴とする請求項１９から３３のいずれか１項に記載のプログラム。
【請求項３５】
前記コンピュータに、前記所定のオブジェクトを表示するための情報を生成するステップをさらに実行させることを特徴とする請求項１９から３４のいずれか１項に記載のプログラム。
【請求項３６】
前記情報処理装置は、スマートフォンであることを特徴とする請求項１９から３５のいずれか１項に記載のプログラム。
【請求項３７】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて、所定の情報を出力するステップを実行させるプログラムであって、
前記所定の情報に応じて前記第２アプリケーションが提供する画面に表示される第２オブジェクトと共に、前記第１アプリケーションが提供する画面に戻るための所定のオブジェクトが新たに表示され、
前記第２オブジェクトと共に新たに表示された前記所定のオブジェクトに対するユーザ操作に応じて、前記表示部に前記第１アプリケーションが提供する画面が表示され、
前記第１アプリケーションのアイコンと前記第２アプリケーションのアイコンが表示された一覧画面における前記第２アプリケーションのアイコンに対するユーザ操作が行われた場合、前記第２アプリケーションのアイコンに対するユーザ操作に応じて前記第２アプリケーションが起動され、前記起動に応じて前記第２アプリケーションが提供する画面に表示される前記第２オブジェクトと共に、前記所定のオブジェクトは表示されないことを特徴とするプログラム。
【請求項３８】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて、所定の情報を出力するステップを実行させるプログラムであって、
前記所定の情報に応じて前記第２アプリケーションが提供する画面に表示される第２オブジェクトと共に、前記第１アプリケーションが提供する画面に戻るための所定のオブジェクトが新たに表示され、
前記第２オブジェクトと共に新たに表示された前記所定のオブジェクトに対するユーザ操作に応じて、前記表示部に前記第１アプリケーションが提供する画面が表示され、
前記第１アプリケーションが提供する画面を介して前記第２アプリケーションが提供する画面が表示される場合のみ、前記第２オブジェクトと共に前記所定のオブジェクトが新たに表示されることを特徴とするプログラム。
【請求項３９】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて、所定の情報を出力するステップを実行させるプログラムであって、
前記所定の情報に応じて前記第２アプリケーションが提供する画面に表示される第２オブジェクトと共に、前記第１アプリケーションが提供する画面に戻るための所定のオブジェクトが新たに表示され、
前記第２オブジェクトと共に新たに表示された前記所定のオブジェクトに対するユーザ操作に応じて、前記表示部に前記第１アプリケーションが提供する画面が表示され、
前記所定のオブジェクトに対するユーザ操作に応じて表示される前記第１アプリケーションの画面は、前記第１アプリケーションの初期画面ではなく、前記第１オブジェクトに対するユーザ操作に応じて表示された前記第２アプリケーションの画面の直前に表示されていた前記第１アプリケーションの画面であることを特徴とするプログラム。
【請求項４０】
第１アプリケーションと、前記第１アプリケーションと異なる第２アプリケーションと、が動作可能な情報処理装置のコンピュータに、
表示部に表示された前記第１アプリケーションが提供する画面内の第１オブジェクトに対するユーザ操作が行われた場合、前記第１オブジェクトに対するユーザ操作に応じて、所定の情報を出力するステップを実行させるプログラムであって、
前記所定の情報に応じて前記第２アプリケーションが提供する画面に表示される第２オブジェクトと共に、前記第１アプリケーションが提供する画面に戻るための所定のオブジェクトが新たに表示され、
前記第２オブジェクトと共に新たに表示された前記所定のオブジェクトに対するユーザ操作に応じて、前記表示部に前記第１アプリケーションが提供する画面が表示され、
前記所定のオブジェクトに対するユーザ操作に応じて表示される前記第１アプリケーションの画面は、前記第１オブジェクトに対するユーザ操作に応じて表示された前記第２アプリケーションの画面の直前に前記第１アプリケーションにより提供されていた表示状態の画面と同じ画面であることを特徴とするプログラム。
【請求項４１】
前記第２アプリケーションの実行中に前記第１アプリケーションが終了されたとしても、前記所定のオブジェクトに対するユーザ操作に応じて、前記第１アプリケーションが提供する画面が表示されることを特徴とする請求項３７から４０のいずれか１項に記載のプログラム。
【請求項４２】
前記所定のオブジェクトの表示は、前記第１アプリケーションが提供する画面に戻ることを認識可能な表示であることを特徴とする請求項３７から４１のいずれか１項に記載のプログラム。
【請求項４３】
前記所定のオブジェクトの表示は、一覧画面に表示される前記第１アプリケーションのアイコンの表示とは異なることを特徴とする請求項３７から４２のいずれか１項に記載のプログラム。
【請求項４４】
前記第２アプリケーションはＷｅｂブラウザアプリケーションであり、前記第１アプリケーションは前記Ｗｅｂブラウザアプリケーションとは異なるアプリケーションであることを特徴とする請求項３７から４３のいずれか１項に記載のプログラム。
【請求項４５】
前記所定のオブジェクトは、前記第２アプリケーションが提供する画面内に表示されることを特徴とする請求項３７から４４のいずれか１項に記載のプログラム。
【手続補正２】
【補正対象書類名】明細書
【補正対象項目名】発明の名称
【補正方法】変更
【補正の内容】
【発明の名称】情報処理装置及びプログラム
【手続補正３】
【補正対象書類名】明細書
【補正対象項目名】０００１
【補正方法】変更
【補正の内容】
【０００１】
本発明は、携帯端末などの複数のアプリケーションを用いる情報処理装置及びプログラムに関する。
【手続補正４】
【補正対象書類名】明細書
【補正対象項目名】０００６
【補正方法】変更
【補正の内容】
【０００６】
上述のような課題を解決するための本発明の情報処理装置は、第１アプリケーションと、前記第１アプリケーションと異なる第２アプリケーションと、が動作可能な情報処理装置であって、表示部の表示を制御する制御手段を備え、前記表示部に表示された前記第１アプリケーションが提供する画面内の第１オブジェクトに対するユーザ操作が行われた場合、前記制御手段は、前記第１オブジェクトに対するユーザ操作に応じて前記第２アプリケーションが提供する画面  に表示される第２オブジェクトと共に、前記第１アプリケーションが提供する画面に戻るための所定のオブジェクトを新たに表示し、前記第２オブジェクトと共に新たに表示された前記所定のオブジェクトに対するユーザ操作が行われた場合、前記制御手段は、前記表示部に前記第１アプリケーションが提供する画面を表示し、前記第１アプリケーションのアイコンと前記第２アプリケーションのアイコンが表示された一覧画面における前記第２アプリケーションのアイコンに対するユーザ操作が行われた場合、前記第２アプリケーションのアイコンに対するユーザ操作に応じて前記第２アプリケーションが起動され、前記起動に応じて前記第２アプリケーションが提供する画面に表示される前記第２オブジェクトと共に、前記所定のオブジェクトは表示されない。